【事件の表示】
　特願２０１８−５２００６５「通信制御装置、通信制御装置の制御方法、通信制御装置を制御するプログラム、通信システム、および、通信アダプタ」拒絶査定不服審判事件〔平成２９年１２月　７日国際公開、ＷＯ２０１７／２０８２９７〕について、次のとおり審決する。
【結　論】
　本件審判の請求は、成り立たない。
【理　由】
第１　手続の経緯
　本願は、２０１６年（平成２８年）５月３０日を国際出願日とする出願であって、その手続の経緯は以下のとおりである。
　平成３０年１２月　５日付け　拒絶理由通知書
　平成３１年　２月　５日　　　意見書、手続補正書の提出
　令和　元年　７月　４日付け　拒絶査定
　令和　元年　９月２０日　　　拒絶査定不服審判の請求
第２　本願発明について
　本願の請求項１〜１４に係る発明は、平成３１年２月５日にされた手続補正により補正された特許請求の範囲の請求項１〜１４に記載された事項により特定されるところ、その請求項８に係る発明（以下、「本願発明」という。）は、以下のとおりのものと認める。
「複数のクライアント機器との間で無線通信ネットワークを形成するための通信制御装置の制御方法であって、前記通信制御装置は、前記複数のクライアント機器の各々と通信するための通信部と、第１のユーザ操作を受ける操作部と、コンピュータを有する制御部とを含み、
　前記制御方法は、
　前記操作部に対する前記第１のユーザ操作を検知すると、前記複数のクライアント機器の各々の前記無線通信ネットワークへの接続設定の要求信号を受付可能とする第１のモードを起動するステップと、
　前記第１のモードの起動に応じて接続受付を開始するステップと、
　前記接続受付の開始後において、前記通信部が前記複数のクライアント機器のうちの１つのクライアント機器において第２のユーザ操作に応じて生成された前記要求信号を受信すると、前記１つのクライアント機器との間で前記接続設定を実行するステップと、
　前記第１のモードにおいて、所定の遷移条件が成立すると前記第１のモードから前記要求信号を受付不能とする第２のモードへのモード遷移を実行する一方で、前記遷移条件が成立するまでの間は、前記要求信号に応じて前記１つのクライアント機器との間で前記接続設定が確立されたとき、または、前記複数のクライアント機器のうちのいずれとも前記接続設定が確立されることなく、前記接続受付の開始から所定の第１のタイムアウト時間が経過したときに、新たな前記接続受付を開始して前記第１のモードを維持するステップとを備え、
　前記遷移条件は、前記第１のモードが起動されてからの経過時間が前記第１のタイムアウト時間も長い所定の第２のタイムアウト時間に達した場合、または、前記第１のモードが起動されてから前記接続受付が開始された回数が所定の複数回に達した場合に成立する
、制御方法。」
第３　原査定の拒絶の理由
　原査定の拒絶の理由の概要は、
「（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。」
というものであり、請求項８に対して特開２００９−０３８５７９号公報が引用されている。
第４　引用発明
　原査定の拒絶の理由で引用された特開２００９−０３８５７９号公報（以下、「引用例」という。）には、図面とともに次の記載がある。
（１）「【背景技術】
【０００２】
　ＩＥＥＥ８０２．１１規格シリーズに準拠した無線ＬＡＮに代表される無線通信では、使用前に設定しなければならない設定項目が数多く存在する。例えば、設定項目として、
ネットワーク識別子としてのＳＳＩＤ、暗号方式、暗号鍵、認証方式、認証鍵等の無線通信を行うために必要な通信パラメータ
【０００３】
　そこで、様々なメーカーから、通信パラメータを簡単に無線機器に設定するための自動設定方法が考案されている。これら自動設定方法は、接続する機器間で予め定められた手順、及びメッセージにより、一方の機器から他方の機器に通信パラメータを提供し、通信パラメータの設定を自動的に行っている。
（中略）
【０００５】
（中略）
【発明が解決しようとする課題】
【０００６】
　通信パラメータの自動設定方法においては、通信パラメータを他の無線機器に提供する提供装置と、提供装置から提供された通信パラメータを受信し、自装置に設定する受信装置の役割が必要である。
【０００７】
　よって、無線機器が自動設定により通信パラメータの提供を受ける場合には、その無線機器は、通信パラメータの提供装置を探さなければならない。
【０００８】
　
しかしながら、提供装置を探索するための信号に対して、必ずしも提供装置が応答するとは限らないという問題が存在するために、通信パラメータの提供機器を簡単に探すことができない。
【０００９】
　
例えば、ＩＥＥＥ８０２．１１規格のＩＢＳＳアドホックネットワークでは、探索要求信号であるプローブリクエストに対して応答を返す局は、ビーコンを最後に送信した局とされている。そのため、提供装置を探索するためにプローブリクエストを送信しても、提供装置以外の機器が応答してしまう場合があり、通信パラメータ提供装置の確定が難しいという問題があった。
【００１０】
　
そこで本発明は、通信パラメータを提供する提供装置の確定を、容易にかつ迅速に行えるようにすることを目的とする。
（２）「【００１６】
　図１は本発明を適用できる実施形態に係る、後述の各端末構成の一例を表すブロック図である。
【００１７】
　１０１は端末全体を示す。１０２は、記憶部１０３に記憶される制御プログラムを実行することにより端末全体を制御する制御部である。制御部１０２は、他の端末との間で通信に用いられる通信パラメータの設定制御も行う。
（中略）
【００１９】
　
１０４は無線通信を行うための無線部である。
【００２０】
　
１０６はユーザが通信パラメータ自動設定処理に関連する各種操作を行うために用いられる設定操作部である。ユーザは設定操作部１０６により、通信パラメータ自動設定処理の開始を指示するためのボタン押下、相手端末との間で認証処理を行うための暗証番号の入力等が可能である。
制御部１０２はユーザによる設定操作部１０６の操作を検出することにより、後述する通信パラメータの設定動作を開始する。
【００２１】
　１０７はアンテナ制御部、１０８はアンテナである。
【００２２】
　
図２は本発明を適用できある実施形態に係る、後述の各端末が実行するソフトウエア機能ブロックの構成の一例を表すブロック図である。このソフトウエア機構を制御するための制御プログラムは、記憶部１０３に記憶されており、制御部１０２が当該制御プログラムを実行することにより、ソフトウエア機能の動作が行われる。
【００２３】
　２０１は端末全体を示している。
２０２は通信パラメータ自動設定処理において、提供装置から通信パラメータを受理する通信パラメータ受理部である。２０３は、通信パラメータ自動設定処理において、受理装置に対して通信パラメータを提供する通信パラメータ提供部である。２０２と２０３を併せて、通信パラメータ自動設定機能ブロックが形成される。本実施形態では、ネットワーク識別子としてのＳＳＩＤ、暗号方式、暗号鍵、認証方式、認証鍵等の無線通信を行うために必要な通信パラメータの自動設定を行う。
」
（３）【００４１】
　
図１１は、端末Ａ、端末Ｂ、および端末Ａが構成するアドホックネットワーク１１０１を示した図である。
【００４２】
　同様に、図１２は端末Ａ、端末Ｂ、端末Ｃ、および端末Ａと端末Ｂが構成するアドホックネットワーク１２０１を示した図である。
【００４３】　
　
各端末は、ＩＥＥＥ８０２．１１無線ＬＡＮ通信機能を備えており、無線ＬＡＮアドホック（以下、アドホック）通信により無線通信を行い、先に説明した図１、図２の構成を有する。
【００４４】
　図１１は、端末Ａが構成したアドホックネットワークに端末Ｂが参加して、通信パラメータの自動設定処理を行う状況を示している。
【００４５】
　ここでは、端末Ａが提供装置、端末Ｂが受理装置として動作し、端末Ａから端末Ｂへ通信パラメータが提供される。
【００４６】
　図１２は、端末Ａと端末Ｂとの間で通信パラメータの自動設定処理が完了した後、当該通信パラメータによりネットワーク１２０１が形成され、その後、新たに通信パラメータの受理装置として端末Ｃがネットワーク１２０１に参加する状況を示している。」
（４）「【００４７】
　図３は、端末Ａと端末Ｂとの間で最初に通信パラメータの自動設定処理を行い、その後設定された通信パラメータで通信を行うまでの端末Ｂの動作を示したフローチャート図である。
（中略）
【００５３】
　通信パラメータ自動設定の実行が可能であれば、端末Ｂは通信パラメータ自動設定処理を実行する（Ｓ３０７）。通信パラメータの受理に成功すれば（Ｓ３０８のＹｅｓ）、端末Ｂはタイマ１を停止し（Ｓ３０９）、受理した通信パラメータを記憶する（Ｓ３１０）。そして、端末Ｂは、受理した通信パラメータを用いた無線通信を起動する（Ｓ３１１）。こうして
、端末Ｂには端末Ａと共通の通信パラメータが設定され、図１２に示すアドホックネットワーク１２０１が形成される。
【００５４】
　
その後、図５に進み、端末Ｂは通信パラメータの提供機能を有効にし、アドホックネットワーク１２０１への参加を希望する端末Ｃに対して通信パラメータの提供を行う（Ｓ３１５）。
【００５５】
　
以下、図５のフローチャート図について説明する。ここでは、端末Ｃにおいて、ボタン押下による通信パラメータ自動設定処理が起動された場合の端末Ｂの動作について説明する。
【００５６】
　
まず端末Ｂは、通信パラメータ提供部の機能を有効に設定する（Ｓ５０２）。
さらに、端末Ｂは、アドホックネットワーク１２０１へ参加可能な端末の上限数（通信パラメータの設定を許可する端末の上限数）を示す許可台数Ｎを設定する（Ｓ５０４）。
【００５７】
　つぎに、
端末Ｂでは、探索信号であるプローブリクエストの受信があったかどうか確認する（Ｓ５０５）。プローブリクエストを受信した場合は、端末Ｂは通信パラメータの提供機能が有効であることを示す情報を付加したプローブレスポンスを送信する（Ｓ５０６）。なお、この時点では、端末Ａと端末Ｂの両端末ともに提供機能が有効に設定されている。そのため、端末Ｃからのプローブリクエストに対して端末Ａ、端末Ｂのいずれかが通信パラメータの提供機能が有効であることを示す情報を付加したプローブレスポンスを返送する。結果として、端末Ｃは確実に通信パラメータ提供装置を発見することができる。
【００５８】
　
次に、端末Ｂが通信パラメータの提供要求を受信したら（Ｓ５０７）、通信パラメータ自動設定処理を実行する（Ｓ５０８）。ここでは、端末Ｂは通信パラメータの提供装置として動作し、受理装置である端末Ｃに対して通信パラメータを提供する。そして、通信パラメータの提供が成功した場合には（Ｓ５０９のＹｅｓ）、許可台数Ｎを１減じてＮ−１として更新する（Ｓ５１０）。
【００５９】
　ここでフローチャート上には示していないが、
端末Ｂは、更新された許可台数を、同一ネットワーク上の他の提供装置（ここでは端末Ａ）に対して容易に通知可能である。例えば、ビーコン、プローブリクエスト／レスポンス、ＥＡＰパケット（ＯＳＩのレイヤ２に位置するプロトコル）等を用いることによって現在ネットワークへの参加を許可されている台数を通知することができる。
【００６０】
　
つぎに、許可台数Ｎが０（ゼロ）でなければ（Ｓ５１１のＮｏ）、端末Ｂは新たな端末の追加登録を継続して実行する。
【００６１】
　
許可台数が０になった場合（Ｓ５１１のＹｅｓ）、あるいは提供機能の有効期間を示すタイマ２が満了した場合（Ｓ５１２のＹｅｓ）には、端末Ｂは通信パラメータ提供機能を無効に設定する（Ｓ５１３）。さらには、端末Ｂは、ネットワークへの追加参加者を締め切った旨の表示を行い、ユーザに追加登録処理が完了したことを通知する（Ｓ５１４）。その後端末Ｂは終了の処理を行う（Ｓ５１５）。
（５）「【００９１】
　
図９は、端末Ａと端末Ｂとの間で通信パラメータ自動設定処理を実行後、続けて端末Ｃに対する通信パラメータの設定を行うまでの制御を示したシーケンス図である。
【００９２】
　最初の段階では、端末Ａと端末Ｂ、及び端末Ｃはまだ通信パラメータを設定していないｕｎｃｏｎｆｉｇｕｒｅｄ状態にある（Ｆ９０１、Ｆ９０２、Ｆ９０３）。
【００９３】
　
まず、端末Ａで通信パラメータ自動設定処理の開始を指示するための設定開始の操作が行われると（Ｆ９０４）、端末Ａは、提供装置として動作し、通信パラメータ自動設定が可能であることを示す情報を付加したビーコンの送信を開始する（Ｆ９０５）。
【００９４】
　つぎに、端末Ｂでも同様に設定開始の操作が行われると（Ｆ９０６）、端末Ｂは通信パラメータの提供装置を探索するために、通信パラメータ自動設定処理を要求するための情報が付加されたプローブリクエストを送信する（Ｆ９０７）。
【００９５】
　端末Ａは提供装置として動作しているので、当該プローブリクエストを受信すると、提供機能が有効であることを示す情報を付加したプローブレスポンスを送信する（Ｆ９０８）。
【００９６】
　端末Ｂは、当該プローブレスポンスを受信することにより提供装置Ａを発見し、通信パラメータを端末Ａから受理する（Ｆ９０９）。通信パラメータの提供、及び受理が成功した後、端末Ａと端末Ｂは通信パラメータが設定された状態をあらわすｃｏｎｆｉｇｕｒｅｄ状態になる（Ｆ９１０、Ｆ９１１）。
【００９７】
　
引き続いて端末Ｂは、自己の通信パラメータ提供機能を有効に変更する（Ｆ９１２）。端末Ａがビーコンの送信を開始し（Ｆ９１３）、同様に端末Ｂもビーコンの送信を開始する（Ｆ９１４）。ここで、先に述べたようにＩＥＥＥ８０２．１１準拠のＩＢＳＳアドホックネットワークにおいては、ビーコンを最後に送信した端末が、プローブリクエストに対する応答であるプローブレスポンスを返信すると規定されている。
【００９８】
　
ここで、端末Ｃにおいて設定開始の操作がされると（Ｆ９１５）、端末Ｃは提供機能が有効な端末を探索するために、通信パラメータ自動設定処理を要求するための情報が付加されたプローブリクエストを送信する（Ｆ９１６）。前述の規定により、ここではビーコンを最後に送信した端末Ｂが、提供機能が有効であることを示す情報を付加したプローブレスポンスを応答する（Ｆ９１７）。
【００９９】
　
端末Ｃは、当該プローブレスポンスを受信することにより提供装置Ｂを発見し、通信パラメータを端末Ｂから受理する（Ｆ９１８）。
【０１００】
　通信パラメータの提供、及び受理が成功した後、端末Ｃも通信パラメータが設定された状態をあらわすｃｏｎｆｉｇｕｒｅｄ状態になる（Ｆ９１９）。同様に、端末Ｃは、自己の通信パラメータ提供機能を有効に変更する（Ｆ９２０）。
【０１０１】
　
こうして、端末Ａ、端末Ｂ、及び端末Ｃとの間で、無線通信が可能となる。
（中略）
【０１１３】
　このように、
本実施形態によれば、端末Ｂは、受理装置として通信パラメータを受理した後に、通信パラメータの提供機能を有効にする。その結果、端末Ｃが提供装置を探索するためにプローブリクエストを送信した場合、端末Ａ又は端末Ｂのいずれかが、提供機能が有効であることを示すプローブレスポンスを返信する。従って、端末Ｃは容易かつ迅速に提供装置を検出し、通信パラメータを受理することができる。
（６）「【図１】
」
（７）「【図２】
」
（８）「【図５】
」
（９）「【図９】
」
（１０）「【図１１】
」
　引用例１の上記記載及びこの分野における技術常識を考慮すると、次のことがいえる。
ア　上記（２）の段落【００１９】、【００２０】、【００２２】の記載、上記（３）の段落【００４３】の記載、上記（５）の段落【０１０１】の記載、及び、（６）の図１によれば、端末Ａは、端末Ｂ及び端末Ｃとの間で無線通信を行うための無線部と、ユーザが通信パラメータ自動設定処理の開始を指示する操作を行うための設定操作部と、制御プログラムを実行する制御部とを含む。
　また、上記（１）の【０００２】、上記（２）の【００２３】の記載によれば、通信パラメータとは、ネットワーク識別子としてのＳＳＩＤ、暗号方式、暗号鍵、認証方式、認証鍵等の無線通信を行うために必要な通信パラメータである。
　よって、引用例には、「端末Ａは、端末Ｂ及び端末Ｃとの間で無線通信を行う無線部と、ユーザが通信パラメータ自動設定処理の開始を指示する操作を行うための設定操作部と、制御プログラムを実行する制御部を含み、通信パラメータとは、ネットワーク識別子としてのＳＳＩＤ、暗号方式、暗号鍵、認証方式、認証鍵等の無線通信を行うために必要なパラメータである」ことが記載されているといえる。
イ　上記（５）の段落【００９３】の記載、及び、（９）の図９によれば、端末Ａにおいて、ユーザによる操作設定部に対する通信パラメータ自動設定処理の開始を指示するための操作が検知されると、端末Ａは、提供装置として動作するから、端末Ａは、ユーザによる操作設定部に対する通信パラメータ自動設定処理の開始を指示するための操作が検知されると、通信パラメータ提供機能が有効な状態に設定されることは自明である。
ウ　上記（４）の段落【００５３】〜【００６１】、（５）の段落【００９１】、【００９７】〜【００９９】、及び、（８）の図５、（９）の図９には、端末Ａが端末Ｂに通信パラメータを提供した後、続けて、端末Ｂが端末Ｃに通信パラメータを提供する手順が記載されている。
　上記段落【００５６】の記載及び図５によれば、端末Ｂは、端末Ａと共通の通信パラメータが設定された後、通信パラメータ提供機能部が有効な状態に設定し、続けて、アドホックネットワークへの参加可能な端末の上限数を示す許可台数Ｎを設定する。
　そして、上記段落【００５６】、【００５７】、【００９８】の記載及び図５、図９によれば、端末Ｂは、通信パラメータ提供機能が有効な状態に設定されると、端末Ｃの設定開始の操作に応じて送信された通信パラメータ自動設定処理を要求するための情報が付加されたプローブリクエストの受信があったか否か確認する。
　さらに、上記段落【００５７】、【００５８】、【００９９】の記載及び図５、図９によれば、プローブリクエストの受信があったか否か確認した後、通信パラメータの提供機能が有効であることを示す情報が付加されたプローブレスポンスを送信し、さらに、通信パラメータの提供要求を受信すると、通信パラメータ自動設定処理を実行し、提供装置として動作する端末Ｂが受理装置である端末Ｃに対して通信パラメータを提供する。
　また、上記段落【００５８】、【００６０】、【００６１】の記載及び図５によれば、端末Ｂは、通信パラメータ提供機能が有効な状態において、通信パラメータの提供が成功すると、許可台数Ｎを１減じてＮ−１として更新され、許可台数Ｎが０になった場合、通信パラメータ提供機能を無効な状態に設定し、ネットワークへの追加参加者を締め切った旨の表示を行い、ユーザに追加登録の処理が完了したことを通知する一方、許可台数Ｎが０でない場合、新たな端末からのプローブリクエストの受信があったか否か確認し、新たな端末追加の登録を継続して実行する。
エ　上記（３）の段落【００４３】によれば、端末Ａ、端末Ｂ、端末Ｃは、上記（６）、（７）の各図面に示される構成をそれぞれ有する。
　そして、上記（１）の段落【０００８】〜【００１０】に記載された課題・目的、及び、上記（４）の段落【００５７】の「なお、この時点では、端末Ａと端末Ｂの両端末ともに提供機能が有効に設定されている。そのため、端末Ｃからのプローブリクエストに対して端末Ａ、端末Ｂのいずれかが通信パラメータの提供機能が有効であることを示す情報を付加したプローブレスポンスを返送する。結果として、端末Ｃは確実に通信パラメータ提供装置を発見することができる。」との記載、上記（５）の段落【０１１３】の「その結果、端末Ｃが提供装置を探索するためにプローブリクエストを送信した場合、端末Ａ又は端末Ｂのいずれかが、提供機能が有効であることを示すプローブレスポンスを返信する。従って、端末Ｃは容易かつ迅速に提供装置を検出し、通信パラメータを受理することができる。」との記載からすれば、端末Ａが端末Ｂに通信パラメータを提供した後、端末Ｃがプローブリクエストを送信する時点でも、端末Ａの通信パラメータ提供機能が有効に設定されており、端末Ａが端末Ｃから送信されたプローブリクエストに対応するプローブレスポンスを送信する場合も含まれているといえる。
　さらに、上記（４）の段落【００５９】の記載によれば、端末Ｂは、端末Ａに更新された許可台数を通知し、端末Ｂと端末Ａは更新された許可台数を共有しているといえる。
　以上からすれば、引用例には、端末Ａが端末Ｂに通信パラメータを提供した後、端末Ａが、上記ウで述べた端末Ｂの動作と同様な動作を行うことにより、端末Ｃに対して通信パラメータの提供を行うことが想定されているといえる。
オ　よって、上記イ〜エの点を踏まえれば、引用例の端末Ａは、「ユーザによる操作設定部に対する通信パラメータ自動設定処理の開始を指示するための操作が検知されると、通信パラメータ提供機能が有効な状態に設定され、続けて、アドホックネットワークへの参加可能な端末の上限数を示す許可台数Ｎを設定すること」、「通信パラメータ提供機能が有効な状態に設定されると、端末Ｃの設定開始の操作に応じて送信された通信パラメータ自動設定処理を要求するための情報が付加されたプローブリクエストの受信をあったか否か確認すること」、「プローブリクエストの受信があったか否か確認した後、通信パラメータの提供機能が有効であることを示す情報が付加されたプローブレスポンスを送信し、さらに、通信パラメータの提供要求を受信すると、通信パラメータ自動設定処理を実行し、端末Ｃに対して通信パラメータを提供すること」、及び、「通信パラメータ提供機能が有効な状態において、通信パラメータの提供が成功すると、許可台数Ｎを１減じてＮ−１として更新し、許可台数Ｎが０になった場合、通信パラメータ提供機能を無効な状態に設定し、ネットワークへの追加参加者を締め切った旨の表示を行い、ユーザに追加登録の処理が完了したことを通知する一方、許可台数Ｎが０でない場合、新たな端末からのプローブリクエストの受信があったか否か確認し、新たな端末追加の登録を継続して実行すること」が、記載されているといえる。
カ　上記（３）の段落【００４１】、及び、上記（１０）の図１１によれば、端末Ａは、アドホックネットワークを構成する。
　よって、上記イ〜オで述べた点を踏まえれば、引用例には、「端末Ｂに通信パラメータを提供した後、端末Ｃに対して通信パラメータの提供する、アドホックネットワークを構成する端末Ａの制御方法」が記載されているといえる。
　以上を総合すると、引用例には次の発明（以下、「引用発明」という。）が記載されていると認められる。
「端末Ｂに通信パラメータを提供した後、端末Ｃに対して通信パラメータの提供する、アドホックネットワークを構成する端末Ａの制御方法において、
　端末Ａは、端末Ｂ及び端末Ｃとの間で無線通信を行う無線部と、ユーザが通信パラメータ自動設定処理の開始を指示する操作を行うための設定操作部と、制御プログラムを実行する制御部を含み、通信パラメータは、ネットワーク識別子としてのＳＳＩＤ、暗号方式、暗号鍵、認証方式、認証鍵等の無線通信を行うために必要なパラメータであること、
　制御方法は、
　ユーザによる操作設定部に対する通信パラメータ自動設定処理の開始を指示するための操作が検知されると、通信パラメータ提供機能が有効な状態に設定され、続けて、アドホックネットワークへの参加可能な端末の上限数を示す許可台数Ｎを設定することと、
　通信パラメータ提供機能が有効な状態に設定されると、端末Ｃの設定開始の操作に応じて送信された通信パラメータ自動設定処理を要求するための情報が付加されたプローブリクエストの受信をあったか否か確認することと、
　プローブリクエストの受信があったか否か確認した後、通信パラメータの提供機能が有効であることを示す情報が付加されたプローブレスポンスを送信し、さらに、通信パラメータの提供要求を受信すると、通信パラメータ自動設定処理を実行し、端末Ｃに対して通信パラメータを提供することと、
　通信パラメータ提供機能が有効な状態において、通信パラメータの提供が成功すると、許可台数Ｎを１減じてＮ−１として更新し、許可台数Ｎが０になった場合、通信パラメータ提供機能を無効な状態に設定し、ネットワークへの追加参加者を締め切った旨の表示を行い、ユーザに追加登録の処理が完了したことを通知する一方、許可台数Ｎが０でない場合、新たな端末からのプローブリクエストの受信があったか否か確認し、新たな端末追加の登録を継続して実行することとを、
備える制御方法。」
第５　対比・判断
　本願発明と引用発明とを対比する。
１　引用発明の「端末Ｂ」及び「端末Ｃ」と、本願発明の「複数のクライアント機器」とは、「複数の機器」である点で共通する。
　そして、引用発明において、端末Ａが、通信パラメータを提供することで端末Ｂ及び端末Ｃとともに無線通信ネットワークであるアドホックネットワークを形成していることは明らかである。
　さらに、引用発明の「端末Ａ」は、通信パラメータ提供機能が有効に設定された場合、プローブリクエストを受信すると、プローブレスポンスを送信することから、無線通信を制御していることは明らかであって、「端末Ａ」を「通信制御装置」と称することは任意である。
　よって、本願発明の「複数のクライアント機器との間で無線通信ネットワークを形成するための通信制御装置の制御方法」と、引用発明の「端末Ｂに通信パラメータを提供した後、端末Ｃに対して通信パラメータの提供する、アドホックネットワークを構成する端末Ａの制御方法」とは、「複数の機器との間で無線通信ネットワークを形成するための通信制御装置の制御方法」という点で共通する。
２　引用発明の「無線通信を行う無線部」は、本願発明の「通信するための通信部」に相当する。
　そして、引用発明の「ユーザが通信パラメータ自動設定処理の開始を指示する操作」を、「第１のユーザ操作」と称することは任意である。よって、引用発明の「設定操作部」は、本願発明の「操作部」に含まれる。
　さらに、引用発明の制御部は、制御プログラムを実行するものであるから、該制御部がコンピュータを有することは自明である。
　よって、本願発明の「前記通信制御装置は、前記複数のクライアント機器の各々と通信するための通信部と、第１のユーザ操作を受ける操作部と、コンピュータを有する制御部とを含み」と、引用発明の「端末Ａは、端末Ｂ及び端末Ｃとの間で無線通信を行う無線部と、ユーザが通信パラメータ自動設定処理の開始を指示する操作を行うための設定操作部と、制御プログラムを実行する制御部とを含み」とは、「記通信制御装置は、前記複数の機器の各々と通信するための通信部と、第１のユーザ操作を受ける操作部と、コンピュータを有する制御部とを含」む点で共通する。
３　引用発明では、通信パラメータ提供機能が有効な状態に設定され、通信パラメータの提供要求を受信すると、通信パラメータ自動設定処理を実行し、端末Ｃに対して通信パラメータを提供し、通信パラメータの提供が成功すると、許可台数Ｎを１減じてＮ−１として更新し、許可台数Ｎが０でない場合、新たな端末追加の登録を継続して実行することから、引用発明は、通信パラメータ提供機能が有効な状態に設定されると、複数の端末の通信パラメータの提供要求を受信可能であるといえる。
　ここで、本願発明の「無線通信ネットワークへの接続設定」に関し、本件明細書段落【０００２】、【００２５】、【００４９】の記載によれば、本願発明の「無線通信ネットワークへの接続設定」は、初回接続時におけるセキュリティ設定のために実行され、実行の際に認証のための情報が送受信されることが含まれるといえ、引用発明の通信パラメータは、ネットワーク識別子としてのＳＳＩＤ、暗号方式、暗号鍵、認証方式、認証鍵等の無線通信を行うために必要なパラメータであることからすれば、引用発明の「通信パラメータの提供要求」は、本願発明の「無線通信ネットワークへの接続設定の要求信号」に相当する。
　また、引用発明では、「通信パラメータ提供機能が有効な状態に設定される」ことにより、「通信パラメータ提供機能が有効な状態」が「起動」しているといえる。
　そして、引用発明の「通信パラメータ提供機能が有効な状態」を「第１のモード」と称することは任意である。
　してみれば、本願発明の「前記操作部に対する前記第１のユーザ操作を検知すると、前記複数のクライアント機器の各々の前記無線通信ネットワークへの接続設定の要求信号を受付可能とする第１のモードを起動するステップ」と、引用発明の「ユーザによる設定操作部に対する通信パラメータ自動設定処理の開始を指示するための操作が検知されると、通信パラメータ提供機能が有効な状態に設定されること」とは、「前記操作部に対する前記第１のユーザ操作を検知すると、前記複数の機器の各々の前記無線通信ネットワークへの接続設定の要求信号を受付可能とする第１のモードを起動するステップ」の点で共通する。
４　本願発明には、「接続受付の開始」後、１つのクライアント機器において第２のユーザ操作に応じて生成された要求信号を受信すると、前記クライアント機器との間で接続設定を実行し、遷移条件が成立するまでの間は、前記要求信号に応じて前記クライアント機器との間で前記接続設定が確立されたときに、「新たな接続受付を開始」するものが含まれる。
　一方、引用発明は、「プローブリクエストの受信をあったか否か確認」し、プローブレスポンスを送信し、さらに、通信パラメータの提供要求を受信すると、通信パラメータ自動設定処理を実行し、通信パラメータの提供が成功すると、許可台数Ｎを１減じてＮ−１として更新し、許可台数Ｎが０でない場合、「新たな端末からのプローブリクエストの受信があったか否か確認」し、新たな端末追加の登録を継続して実行するものであって、「プローブリクエストの受信があったか否か確認」していることから、プローブリクエストの受付を開始していることは当然のことである。
　そして、上記３で述べたように、引用発明の「通信パラメータの提供要求」は、本願発明の「無線通信ネットワークへの接続設定の要求信号」に相当するから、引用発明の「プローブリクエストの受付を開始する」ことは、本願発明の「接続受付を開始する」ことに含まれる。
　よって、引用発明の「通信パラメータ提供機能が有効な状態に設定されると、端末Ｃの設定開始の操作に応じて送信された通信パラメータ自動設定処理を要求するための情報が付加されたプローブリクエストの受信をあったか否か確認すること」は、本願発明の「前記第１のモードの起動に応じて接続受付を開始するステップ」に含まれる。
５　引用発明において、通信パラメータの提供要求は、端末Ａが含む「無線部」により受信されることは明らかである。
　また、引用発明において、上記通信パラメータの提供要求を受信すると、端末Ｃに対して通信パラメータが提供されるのであるから、通信パラメータの提供要求は、端末Ｃの設定開始の操作に応じて生成されることは明らかであり、端末Ｃの設定開始の操作を「第２のユーザ操作」と称することは任意である。
　そして、上記３で述べたように、引用発明の「通信パラメータの提供要求」は、本願発明の「無線通信ネットワークへの接続設定の要求信号」に相当するから、引用発明の「通信パラメータ自動設定処理を実行し、端末Ｃに対して通信パラメータを提供すること」することは、本願発明の「前記接続設定を実行する」ことに相当する。
　よって、本願発明の「前記接続受付の開始後において、前記通信部が前記複数のクライアント機器のうちの１つクライアント機器において第２のユーザ操作に応じて生成された前記要求信号を受信すると、前記１つのクライアント機器との間で前記接続設定を実行するステップ」と、引用発明の「プローブリクエストの受信があったか否か確認した後、通信パラメータの提供機能が有効であることを示す情報が付加されたプローブレスポンスを送信し、さらに、通信パラメータの提供要求を受信すると、通信パラメータ自動設定処理を実行し、端末Ｃに対して通信パラメータを提供すること」とは、「前記接続受付の開始後において、前記通信部が前記複数の機器のうちの１つの機器において第２のユーザ操作に応じて生成された前記要求信号を受信すると、前記１つの機器との間で前記接続設定を実行するステップ」である点で共通する。
６　引用発明において、更新された許可台数Ｎが０になった場合、通信パラメータ提供機能を無効な状態に設定し、ネットワークへの追加参加者を締め切った旨の表示を行い、ユーザに追加登録の処理が完了したことを通知することからすれば、通信パラメータ提供機能が無効な状態では、追加の通信パラメータ提供要求を受信できないことは明らかであって、「通信パラメータ提供機能が無効な状態」を「第２のモード」と称することには任意である。
　さらに、引用発明において、通信パラメータ提供機能が有効な状態において、通信パラメータの提供が成功し、更新された許可台数が０になった場合、通信パラメータ提供機能が無効な状態に設定されるから、引用発明も、更新された許可台数が０になる条件が成立すると、通信パラメータ提供機能が有効な状態から通信パラメータ提供機能が無効な状態に遷移しているといえ、このような更新された許可台数が０になる条件を「遷移条件」と称することは任意である。
　また、上記３で述べたように、引用発明の「通信パラメータの提供要求」は、本願発明の「無線通信ネットワークへの接続設定の要求信号」に相当するから、引用発明の「通信パラメータの提供が成功」することは、本願発明の「接続設定が確立」することに相当する。
　そして、引用発明では、通信パラメータ提供機能が有効な状態において、通信パラメータの提供が成功すると、許可台数Ｎが０でない場合、新たな端末からのプローブリクエストの受信があったか否か確認し、新たな端末追加の登録を継続して実行するから、引用発明も、許可台数Ｎが０になるまでの間は、通信パラメータの提供要求に応じて他の端末との間で通信パラメータの提供が成功したとき、新たな端末からのプローブリクエストの受信があったか否か確認するといえ、新たな端末追加の登録を継続して実行する場合、通信パラメータ提供機能が有効な状態が継続されることは当然のことである。
　よって、本願発明の「前記第１のモードにおいて、所定の遷移条件が成立すると前記第１のモードから前記要求信号を受付不能とする第２のモードへのモード遷移を実行する一方で、前記遷移条件が成立するまでの間は、前記要求信号に応じて前記１つのクライアント機器との間で前記接続設定が確立されたとき、または、前記複数のクライアント機器のうちのいずれとも前記接続設定が確立されることなく、前記接続受付の開始から所定の第１のタイムアウト時間が経過したときに、新たな前記接続受付を開始して前記第１のモードを維持するステップ」と、引用発明の「通信パラメータ提供機能が有効な状態において、通信パラメータの提供が成功すると、許可台数Ｎを１減じてＮ−１として更新し、許可台数Ｎが０になった場合、通信パラメータ提供機能を無効な状態に設定し、ネットワークへの追加参加者を締め切った旨の表示を行い、ユーザに追加登録の処理が完了したことを通知する一方、許可台数Ｎが０でない場合、新たな端末からのプローブリクエストの受信があったか否か確認し、新たな端末追加の登録を継続して実行することと」とは、「前記第１のモードにおいて、所定の遷移条件が成立すると前記第１のモードから前記要求信号を受付不能とする第２のモードへのモード遷移を実行する一方で、前記遷移条件が成立するまでの間は、前記要求信号に応じて前記１つの機器との間で前記接続設定が確立されたときに、新たな前記接続受付を開始して前記第１のモードを維持するステップ」である点で共通する。
７　引用発明において、更新された許可台数Ｎが０になった場合とは、アドホックネットワークへの参加可能な端末の上限数Ｎ分、通信パラメータの自動設定処理が行われたこと、即ち、通信パラメータ提供機能が有効な状態に設定されてから、プローブリクエストの受信確認、プローブレスポンスの送信、通信パラメータの提供要求の受信、通信パラメータ自動設定処理の実行の各工程の回数がＮ回に達したことであることは自明である。
　よって、本願発明と引用発明とは、「遷移条件は、前記第１のモードが起動されてから前記接続受付が開始された回数が所定の複数回に達した場合に成立する」点で共通する。
　以上のことから、本願発明と引用発明との一致点及び相違点は、次のとおりである。
（一致点）
「複数の機器との間で無線通信ネットワークを形成するための通信制御装置の制御方法であって、前記通信制御装置は、前記複数の機器の各々と通信するための通信部と、第１のユーザ操作を受ける操作部と、コンピュータを有する制御部とを含み、
　前記制御方法は、
　前記操作部に対する前記第１のユーザ操作を検知すると、前記複数の機器の各々の前記無線通信ネットワークへの接続設定の要求信号を受付可能とする第１のモードを起動するステップと、
　前記第１のモードの起動に応じて接続受付を開始するステップと、
　前記接続受付の開始後において、前記通信部が前記複数の機器のうちの１つの機器において第２のユーザ操作に応じて生成された前記要求信号を受信すると、前記１つの機器との間で前記接続設定を実行するステップと、
　前記第１のモードにおいて、所定の遷移条件が成立すると前記第１のモードから前記要求信号を受付不能とする第２のモードへのモード遷移を実行する一方で、前記遷移条件が成立するまでの間は、前記要求信号に応じて前記１つの機器との間で前記接続設定が確立されたときに、新たな前記接続受付を開始して前記第１のモードを維持するステップとを備え、
　前記遷移条件は、前記第１のモードが起動されてから前記接続受付が開始された回数が所定の複数回に達した場合に成立する、
制御方法。」
（相違点）
　「機器」に関し、本願発明は、「クライアント機器」であるのに対し、引用発明は「クライアント」について明記されていない点。
　上記相違点について検討する。
　引用発明は、アドホックネットワークを構成する端末Ａが、端末Ｂ、端末Ｃ、又は、新たな端末に対して、通信ネットワークの提供を行うものであることからすれば、端末Ｂ、端末Ｃ、又は、新たな端末を、端末Ａに対するクライアントと称することは当業者が任意に行うことである。
　よって、上記相違点は実質的な相違点とは認められない。
　また、仮にそうでないとしても、格別困難なことではなく、当業者が容易に想到しうる。
　したがって、本願発明は、引用発明と同一であり、また、引用発明に基づいて当業者が容易に想到しうる。 
第６　むすび 
　以上のとおり、本願発明は、引用例に記載された発明であるから、特許法第２９条第１項第３号に該当し、特許を受けることができない。
　また、本願発明は、当業者が引用例に記載された発明に基づいて容易に発明をすることができたものであるから、特許法第２９条第２項の規定により特許を受けることができない。
　したがって、他の請求項に係る発明について検討するまでもなく、本願は拒絶されるべきものである。